(57)【要約】【課題】グループ画像を代表する画像の登録を操作性良く行うことができる画像再生装置等を提供する。【解決手段】動画像や連写画像等のグループ画像の中の登録された画像を代表画像として管理する代表画像管理部１１ｂと、画像を表示するための表示部１８と、代表画像とそれ以外の構成画像とを画像番号順に並べて表示部１８に表示させる再生制御部１１ａと、を備えた画像再生装置１において、再生制御部１１ａは、グループ画像の代表画像が複数あるときには、グループ画像を画像番号に沿って代表画像に各対応した複数のサブグループに分割し、代表画像を先頭にしてサブグループの構成画像を画像番号順に配列した画像列を、複数の代表画像が画像列と交差する方向に画像番号に沿って配列されるように、表示部１８に表示させる。【選択図】図１
2008245106.tif 000002
【特許請求の範囲】
【請求項１】
一連の撮影によって得られた、画像番号が付された複数の画像により構成されるグループ画像、の中の登録された画像を、該グループ画像の代表画像として管理する代表画像管理部と、
画像を表示するための表示部と、
上記グループ画像の代表画像と、該代表画像以外の該グループ画像の構成画像と、を上記画像番号順に並べて、上記表示部に表示させるように制御する再生制御部と、
を具備し、
上記再生制御部は、上記グループ画像の代表画像が複数あるときには、該グループ画像を上記画像番号に沿って該代表画像に各対応した複数のサブグループに分割し、代表画像を先頭にしてサブグループの構成画像を画像番号順に配列した画像列を、複数の代表画像が該画像列と交差する方向に上記画像番号に沿って配列されるように、上記表示部に表示させるように制御するものであることを特徴とする画像再生装置。
【請求項２】
代表画像を登録する操作を行うための操作部をさらに具備し、
上記代表画像管理部は、上記操作部により上記構成画像を新たに代表画像として登録する操作が行われたことを検出した場合には、該操作の対象となった構成画像を代表画像として登録して管理するものであることを特徴とする請求項１に記載の画像再生装置。
【請求項３】
上記再生制御部は、上記新たな代表画像となった元の構成画像を上記登録操作が行われる前に含んでいた上記サブグループを、該サブグループの元々の代表画像と、該新たな代表画像と、に各対応した２つのサブグループに上記画像番号に沿って分割し、該元々の代表画像と該新たな代表画像とが隣接して配列されるように、上記表示部に表示させるように制御するものであることを特徴とする請求項２に記載の画像再生装置。
【請求項４】
上記代表画像管理部は、上記グループ画像の中の上記画像番号が最も小さい画像を、該グループ画像の代表画像として自動的に登録して管理するものであることを特徴とする請求項１に記載の画像再生装置。
【請求項５】
請求項２に記載の画像再生装置と、
上記一連の撮影を行って上記グループ画像を取得し得る撮像部と、
上記撮像部により撮影を行わせる指示を入力するための２段式の操作部材であって、上記操作部を兼ねたレリーズ部材と、
を具備し、
上記画像再生装置により上記グループ画像としての動画像の再生を行っているときに、上記レリーズ部材の１段目が操作された場合には、上記再生制御部は該動画像をスローモーション再生して上記表示部に表示させるように制御するものであり、さらに、該レリーズ部材の２段目が操作された場合には、上記代表画像管理部は該操作がなされた時点でスローモーション再生されているフレーム画像を代表画像として登録して管理するものであることを特徴とする撮像装置。
【請求項６】
コンピュータに、
一連の撮影によって得られた、画像番号が付された複数の画像により構成されるグループ画像、の中の登録された画像を、該グループ画像の代表画像として管理する代表画像管理ステップと、
上記グループ画像の代表画像と、該代表画像以外の該グループ画像の構成画像と、を上記画像番号順に並べて表示させるように制御するステップであって、上記グループ画像の代表画像が複数あるときには、該グループ画像を上記画像番号に沿って該代表画像に各対応した複数のサブグループに分割し、代表画像を先頭にしてサブグループの構成画像を画像番号順に配列した画像列を、複数の代表画像が該画像列と交差する方向に上記画像番号に沿って配列されるように表示させるように制御する再生制御ステップと、
上記再生制御ステップの制御に基づき画像を表示する表示ステップと、
を実行させるための画像表示プログラム。
【請求項７】
コンピュータに、
一連の撮影によって得られた、画像番号が付された複数の画像により構成されるグループ画像、の中の登録された画像を、該グループ画像の代表画像として管理する代表画像管理ステップと、
上記グループ画像の代表画像と、該代表画像以外の該グループ画像の構成画像と、を上記画像番号順に並べて表示させるように制御するステップであって、上記グループ画像の代表画像が複数あるときには、該グループ画像を上記画像番号に沿って該代表画像に各対応した複数のサブグループに分割し、代表画像を先頭にしてサブグループの構成画像を画像番号順に配列した画像列を、複数の代表画像が該画像列と交差する方向に上記画像番号に沿って配列されるように表示させるように制御する再生制御ステップと、
上記再生制御ステップの制御に基づき画像を表示する表示ステップと、
を実行させるための画像表示プログラムを記録する、コンピュータにより読み取り可能な記録媒体。
【請求項８】
一連の撮影によって得られた、画像番号が付された複数の画像により構成されるグループ画像、の中の登録された画像を、該グループ画像の代表画像として管理する代表画像管理ステップと、
上記グループ画像の代表画像と、該代表画像以外の該グループ画像の構成画像と、を上記画像番号順に並べて表示させるように制御するステップであって、上記グループ画像の代表画像が複数あるときには、該グループ画像を上記画像番号に沿って該代表画像に各対応した複数のサブグループに分割し、代表画像を先頭にしてサブグループの構成画像を画像番号順に配列した画像列を、複数の代表画像が該画像列と交差する方向に上記画像番号に沿って配列されるように表示させるように制御する再生制御ステップと、
上記再生制御ステップの制御に基づき画像を表示する表示ステップと、
を含む画像表示方法。
【発明の詳細な説明】
【技術分野】
【０００１】
本発明は、一連の撮影によって得られたグループ画像を表示するための画像再生装置、撮像装置、画像表示プログラム、記録媒体、画像表示方法に関する。
【背景技術】
【０００２】
デジタルカメラ等の撮像装置に用いられる記録媒体は、近年、容量当たりの単価が低下して、大容量の記録媒体を比較的安価に入手することができるようになってきている。そして、こうした記録媒体を販売する店舗も増加していることから、記録媒体の入手自体も手軽に行うことができるようになってきている。
【０００３】
画像データを取り扱う機器としての例えばパーソナルコンピュータにおいても、画像処理を行うＣＰＵの性能が向上すると共にハードディスク等の記録媒体の容量が飛躍的に増大しているために、大量の画像データを気軽に記録し、処理することができる環境が整ってきている。
【０００４】
こうした１つの記録媒体に記録することができる画像数が膨大に増加した状況では、多数の画像の中から目的とする画像を効率的に検索する手段の開発が望まれ、その一つの手段として、画像検索を目的としたサムネイル表示手法が種々提案されている。このサムネイル表示手法の中でも、特に、多数の画像をグループに分類して、分類された各グループの代表画像のみを一覧表示することにより、一覧表示される画像の数を減らして検索の便宜を図るようにする表示方法が、広く利用される表示方法の一つである。
【０００５】
この代表画像を一覧表示する技術の１例として、特開２００４−２９５２３１号公報には、画像を撮影時間（撮影日時や撮影時刻等）に応じて幾つかのグループに自動的に分類し、グループの先頭画像を代表画像として一列に並べて表示する技術が記載されている。さらに該公報には、一列に並べて表示された複数の代表画像の中の何れかの代表画像が選択されることにより、該代表画像により特定されるグループが選択された場合には、このグループに属する画像を代表画像の列と直交するように配列して表示し、容易にプリント注文を行うことができるようにした画像表示方法が記載されている。
【０００６】
また、特開２００４−３６４０９１号公報には、上述した代表画像を撮影時に指定する技術や、再生時に代表画像を変更する技術が記載されている。
【０００７】
ところで、市販されているデジタルカメラには、通常の静止画撮影モードを備える以外にも、さらに連写撮影モードや動画撮影モードも備えているものが少なからずある。そして、上述したような記録媒体の大容量化に伴って、動画撮影が利用される頻度も高くなってきている。このとき、撮影された動画像と静止画像とは、同一の記録媒体上に記録されることが殆どである。このような記録媒体上の画像を検索用にサムネイル表示する際に、動画撮影や連写撮影などの一連の撮影により得られた全ての画像をサムネイル表示させてしまうと、時間的に近接しているために類似性が高い画像が複数表示されてしまうことになり、画像検索を行うにはかえって不便な表示となってしまう。
【０００８】
そこで、例えば特開平５−１８１９０５号公報には、連写画像については代表画像のみをサムネイル表示させるようにする表示装置が提案されている。
【特許文献１】特開２００４−２９５２３１号公報
【特許文献２】特開２００４−３６４０９１号公報
【特許文献３】特開平５−１８１９０５号公報
【発明の開示】
【発明が解決しようとする課題】
【０００９】
グループ画像に対して代表画像を設定し、画像管理や検索を行う際に、グループ画像に含まれる全画像を扱う代わりにこの代表画像のみを扱うようにすることは、画像管理や検索を効率化する有効な手段である。このとき、グループ画像中の画像番号に従った先頭画像が必ずしも代表画像にふさわしいとは限らないために、上記特開２００４−３６４０９１号公報のような、その他の画像を代表画像に変更する技術が提案されてはいるが、この代表画像を追加登録する際の使い易いＧＵＩ（グラフィカルユーザインタフェース）については、該公報には記載されていなかった。
【００１０】
例えば、グループ画像の中から代表画像を選択しようとする際に、選択対象となり得る画像が１枚だけ表示されるのでは、その画像が代表画像としてふさわしいか否かを判断するのが容易とはいえない。このように、上記従来の提案だけでは、グループ画像を代表する画像を追加したり変更したりするのを、高い操作性で容易に行うことができるとはいえなかった。
【００１１】
本発明は上記事情に鑑みてなされたものであり、グループ画像を代表する画像の登録を操作性良く行うことができる画像再生装置、撮像装置、画像表示プログラム、記録媒体、画像表示方法を提供することを目的としている。
【課題を解決するための手段】
【００１２】
上記の目的を達成するために、第１の発明による画像再生装置は、一連の撮影によって得られた画像番号が付された複数の画像により構成されるグループ画像の中の登録された画像を該グループ画像の代表画像として管理する代表画像管理部と、画像を表示するための表示部と、上記グループ画像の代表画像と該代表画像以外の該グループ画像の構成画像とを上記画像番号順に並べて上記表示部に表示させるように制御する再生制御部と、を具備し、上記再生制御部は、上記グループ画像の代表画像が複数あるときには、該グループ画像を上記画像番号に沿って該代表画像に各対応した複数のサブグループに分割し、代表画像を先頭にしてサブグループの構成画像を画像番号順に配列した画像列を、複数の代表画像が該画像列と交差する方向に上記画像番号に沿って配列されるように、上記表示部に表示させるように制御するものである。
【００１３】
また、第２の発明による画像再生装置は、上記第１の発明による画像再生装置において、代表画像を登録する操作を行うための操作部をさらに具備し、上記代表画像管理部は、上記操作部により上記構成画像を新たに代表画像として登録する操作が行われたことを検出した場合には、該操作の対象となった構成画像を代表画像として登録して管理するものである。
【００１４】
さらに、第３の発明による画像再生装置は、上記第２の発明による画像再生装置において、上記再生制御部が、上記新たな代表画像となった元の構成画像を上記登録操作が行われる前に含んでいた上記サブグループを、該サブグループの元々の代表画像と、該新たな代表画像と、に各対応した２つのサブグループに上記画像番号に沿って分割し、該元々の代表画像と該新たな代表画像とが隣接して配列されるように、上記表示部に表示させるように制御するものである。
【００１５】
第４の発明による画像再生装置は、上記第１の発明による画像再生装置において、上記代表画像管理部が、上記グループ画像の中の上記画像番号が最も小さい画像を、該グループ画像の代表画像として自動的に登録して管理するものである。
【００１６】
第５の発明による撮像装置は、上記第２の発明による画像再生装置と、上記一連の撮影を行って上記グループ画像を取得し得る撮像部と、上記撮像部により撮影を行わせる指示を入力するための２段式の操作部材であって上記操作部を兼ねたレリーズ部材と、を具備し、上記画像再生装置により上記グループ画像としての動画像の再生を行っているときに、上記レリーズ部材の１段目が操作された場合には、上記再生制御部は該動画像をスローモーション再生して上記表示部に表示させるように制御するものであり、さらに、該レリーズ部材の２段目が操作された場合には、上記代表画像管理部は該操作がなされた時点でスローモーション再生されているフレーム画像を代表画像として登録して管理するものである。
【００１７】
第６の発明による画像表示プログラムは、コンピュータに、一連の撮影によって得られた画像番号が付された複数の画像により構成されるグループ画像の中の登録された画像を該グループ画像の代表画像として管理する代表画像管理ステップと、上記グループ画像の代表画像と該代表画像以外の該グループ画像の構成画像とを上記画像番号順に並べて表示させるように制御するステップであって、上記グループ画像の代表画像が複数あるときには該グループ画像を上記画像番号に沿って該代表画像に各対応した複数のサブグループに分割し代表画像を先頭にしてサブグループの構成画像を画像番号順に配列した画像列を複数の代表画像が該画像列と交差する方向に上記画像番号に沿って配列されるように表示させるように制御する再生制御ステップと、上記再生制御ステップの制御に基づき画像を表示する表示ステップと、を実行させるためのプログラムである。
【００１８】
第７の発明による記録媒体は、コンピュータに、一連の撮影によって得られた画像番号が付された複数の画像により構成されるグループ画像の中の登録された画像を該グループ画像の代表画像として管理する代表画像管理ステップと、上記グループ画像の代表画像と該代表画像以外の該グループ画像の構成画像とを上記画像番号順に並べて表示させるように制御するステップであって、上記グループ画像の代表画像が複数あるときには該グループ画像を上記画像番号に沿って該代表画像に各対応した複数のサブグループに分割し代表画像を先頭にしてサブグループの構成画像を画像番号順に配列した画像列を複数の代表画像が該画像列と交差する方向に上記画像番号に沿って配列されるように表示させるように制御する再生制御ステップと、上記再生制御ステップの制御に基づき画像を表示する表示ステップと、を実行させるための画像表示プログラムを記録する、コンピュータにより読み取り可能な記録媒体である。
【００１９】
第８の発明による画像表示方法は、一連の撮影によって得られた画像番号が付された複数の画像により構成されるグループ画像の中の登録された画像を該グループ画像の代表画像として管理する代表画像管理ステップと、上記グループ画像の代表画像と該代表画像以外の該グループ画像の構成画像とを上記画像番号順に並べて表示させるように制御するステップであって、上記グループ画像の代表画像が複数あるときには該グループ画像を上記画像番号に沿って該代表画像に各対応した複数のサブグループに分割し代表画像を先頭にしてサブグループの構成画像を画像番号順に配列した画像列を複数の代表画像が該画像列と交差する方向に上記画像番号に沿って配列されるように表示させるように制御する再生制御ステップと、上記再生制御ステップの制御に基づき画像を表示する表示ステップと、を含む方法である。
【発明の効果】
【００２０】
本発明の画像再生装置、撮像装置、画像表示プログラム、記録媒体、画像表示方法によれば、グループ画像を代表する画像の登録を操作性良く行うことが可能となる。
【発明を実施するための最良の形態】
【００２１】
以下、図面を参照して本発明の実施の形態を説明する。
【００２２】
［実施形態１］
図１から図１３は本発明の実施形態１を示したものであり、図１は画像再生装置の構成を示すブロック図である。
【００２３】
この画像再生装置１は、ＣＰＵ１１と、ＲＯＭ１２と、ＲＡＭ１３と、読出部１４と、画像記憶部１５と、表示画像作成部１６と、表示処理部１７と、表示部１８と、操作部１９と、を有して構成されている。
【００２４】
これらの内の、ＣＰＵ１１と、ＲＯＭ１２と、ＲＡＭ１３と、読出部１４と、画像記憶部１５と、表示画像作成部１６と、表示処理部１７とは、バスを介して相互に通信可能に接続されている。また、表示処理部１７は、表示部１８へ接続されている。操作部１９は、ＣＰＵ１１に接続されている。
【００２５】
ＣＰＵ１１は、この画像再生装置１を統括的に制御する制御部であり、画像の再生に関する制御を行うための再生制御部１１ａと、一連の撮影により得られたグループ画像を代表する画像（代表画像）の管理を行うための代表画像管理部１１ｂと、を備えている。ここに、グループ画像とは、動画撮影、連写撮影、オートブラケット撮影などの一連の撮影により得られた、画像番号が付された複数の画像のことである。
【００２６】
ＲＯＭ１２は、ＣＰＵ１１により実行される制御プログラムや、この画像再生装置１内で用いられる各種のデータ等を保持する不揮発性メモリである。
【００２７】
ＲＡＭ１３は、ＣＰＵ１１の作業用に用いられる揮発性メモリであり、画像データ等を記憶するために用いられるようになっている。
【００２８】
画像記憶部１５は、例えばフラッシュメモリ等の不揮発性の記録媒体として構成されたものであり、グループ画像を含む複数の画像が記録されているものである。
【００２９】
読出部１４は、画像記憶部１５に記憶されている例えば圧縮された状態の画像を読み出して、伸張処理を施した後に、ＲＡＭ１３等へ転送して書き込むものである。
【００３０】
表示画像作成部１６は、画像記憶部１５から読み出されてＲＡＭ１３に展開された画像を、表示部１８に表示するための画像に変換して、変換した画像をまたＲＡＭ１３に書き込む処理を行うものである。
【００３１】
表示処理部１７は、表示画像作成部１６により作成されてＲＡＭ１３に記憶されている表示用の画像データを読み出して、表示部１８へ出力するための信号に変換し、変換した信号を表示部１８へ出力するものである。
【００３２】
表示部１８は、表示処理部１７から入力される信号に基づき、画像を表示するものである。
【００３３】
操作部１９は、この画像再生装置１に係る各種の操作を行うための操作スイッチや操作ボタン、電源スイッチ等を含むものである。この操作部１９には、例えば後述するような左右（Ｌ／Ｒ）ボタン１９ａ（図２参照）、上下（Ｕ／Ｄ）ボタン１９ｂ（図２参照）、連続再生（Ｍ）ボタン１９ｃ（図３参照）、登録（Ｒｅ）ボタン１９ｄ（図３参照）、ズーム（Ｔ／Ｗ）ボタン１９ｅ（図４参照）などが含まれている。
【００３４】
次に、図２は画像記憶部１５に記憶されている画像の順番を模式的に示す図である。
【００３５】
画像記憶部１５には、例えば図２に示すような複数の画像が記憶されている。この図２に示す例においては、画像番号１〜５は静止画像（ｓ）、画像番号６は、例えば画像番号６−１，６−２，６−３，…の複数のフレーム画像により構成されるグループ画像としての動画像（ｍ）、画像番号７〜１９は静止画像（ｓ）、画像番号２０は、例えば画像番号２０−１，２０−２，２０−３，…の複数の静止画像により構成されるグループ画像としての連写画像（ｃ）、画像番号２１〜は静止画像（ｓ）となっている。
【００３６】
そして、代表画像管理部１１ｂは、静止画像については該静止画像自体を代表画像として自動的に登録すると共に、動画像や連写画像等のグループ画像については該グループ画像内において画像番号が最も小さい先頭の画像を代表画像として自動的に登録するようになっている。そして、グループ画像は、この代表画像と、代表画像以外の画像である構成画像と、により構成されている。
【００３７】
また、閲覧モードの１コマ表示を行うときには、左右ボタン１９ａを操作することにより表示部１８に表示される代表画像を画像番号順に移動することができ、動画像や連写画像等のグループ画像を表示しているときに上下ボタン１９ｂを操作することにより表示部１８に表示されるフレーム画像または連写画像の１コマを画像番号順に移動することができるようになっている。
【００３８】
次に、図３は閲覧モードの１コマ表示においてグループ画像を構成する構成画像の中から代表画像を新たに追加するときの処理の流れを示す図である。
【００３９】
まず、閲覧モードの１コマ表示においては、表示部１８には何れか１つの代表画像が表示されるようになっている。そして、ここでは画像番号６の動画像における代表画像である画像番号６−１のフレーム画像（なお、以下では記載を簡潔にするために、画像番号６−１のフレーム画像を、適宜、「フレーム画像６−１」などと表記することにする。）が表示されているものとする（Ａ−１）。
【００４０】
このときに、例えば操作部１９に含まれる連続再生ボタン１９ｃを操作したとすると、Ａ−５に示すように動画の再生が開始される。
【００４１】
また、Ａ−１の表示状態において、操作部１９に含まれる上下ボタン１９ｂを下ボタン側へ操作したとすると、Ａ−２に示すようにフレーム画像６−２が表示される。
【００４２】
このＡ−２の表示状態において、さらに上下ボタン１９ｂを下ボタン側へ操作したとすると、Ａ−３に示すようにフレーム画像６−３が表示される。一方、Ａ−２の表示状態において、上下ボタン１９ｂを上ボタン側へ操作したとすると、Ａ−１の表示状態に戻る。
【００４３】
Ａ−３の表示状態において、上下ボタン１９ｂを下ボタン側または上ボタン側へ操作したときに表示されるフレーム画像の画像番号が１つ大きくなるまたは１つ小さくなるのは、上述と同様である。
【００４４】
また、Ａ−３の表示状態において、登録ボタン１９ｄを操作したとすると、代表画像管理部１１ｂがフレーム画像６−３を新たに代表画像として登録すると共に、Ｂ−１に示すような登録モードの詳細表示（登録モード時にグループ画像に属する複数の画像を同時に閲覧し得る表示）を行う。
【００４５】
このＢ−１の表示状態においては、表示部１８に例えば３×３の画像を表示することが可能となっており、中央の画像位置に代表画像としての新たな登録が行われたフレーム画像６−３が表示され、その下には該フレーム画像６−３が属するサブグループの構成画像の中の画像番号が次となるフレーム画像６−４が表示される。また、フレーム画像６−３の左側には、このフレーム画像６−３よりも画像番号が小さく、かつ該フレーム画像６−３に隣接する代表画像となっているフレーム画像６−１が表示される。そして、このフレーム画像６−１の下にも該フレーム画像６−１が属するサブグループの構成画像の中の画像番号が次となるフレーム画像６−２が表示される。なお、フレーム画像６−３よりも画像番号が大きい代表画像がグループ画像内に存在する場合には、この代表画像がフレーム画像６−３の右側に表示され、かつこの代表画像の下にも構成画像が表示されるはずであるが、ここではそのような代表画像が存在しないために表示されていない。
【００４６】
このように、グループ画像に複数の代表画像が存在するときには、再生制御部１１ａは、グループ画像を画像番号に沿って各代表画像に対応した複数のサブグループに分割し、代表画像を先頭にしてサブグループの構成画像を画像番号順に配列した画像列を、複数の代表画像がこの画像列と交差する方向に画像番号に沿って配列されるように、表示部１８に表示させるように制御する。従って、Ｂ−１に示す例においては、フレーム画像６−１，６−２が１つのサブグループを構成し、フレーム画像６−３，６−４，…が他の１つのサブグループを構成している。
【００４７】
また、この詳細表示において、代表画像に関しては、構成画像と区別が付くような表示、例えば太枠や色枠（赤枠等）を付したり、ハイライト表示を行ったり、マークを付したり、等をすると良い。
【００４８】
このＢ−１の表示状態は、所定時間、例えば１秒間行われた後に、再びＡ−３の表示状態に自動的に復帰するようになっている。
【００４９】
Ａ−３の表示状態から、さらに上下ボタン１９ｂを何度か操作することにより、フレーム画像６−２０が表示されるＡ−４の表示状態に移行したものとする。このとき、登録ボタン１９ｄを再び操作したとすると、代表画像管理部１１ｂがフレーム画像６−２０を新たに代表画像として登録すると共に、Ｂ−２に示すような登録モードの詳細表示を行う。このＢ−２の表示状態においても、表示部１８に例えば３×３の画像を表示することが可能となっており、中央の画像位置に代表画像としての新たな登録が行われたフレーム画像６−２０が表示され、その下には構成画像であるフレーム画像６−２１が表示される。また、フレーム画像６−２０の左側には、このフレーム画像６−２０よりも画像番号が小さく、かつ該フレーム画像６−２０に隣接する代表画像となっているフレーム画像６−３が表示される。そして、このフレーム画像６−３の下にも構成画像であるフレーム画像６−４が表示される。なお、代表画像であるフレーム画像６−１および構成画像であるフレーム画像６−２は、表示部１８による表示の範囲外となるために、表示部１８には表示されない（この様子を、図３において点線で示している）。
【００５０】
このＢ−２の表示状態も、上述したように例えば１秒間行われた後に、再びＡ−４の表示状態に自動的に復帰する。
【００５１】
その後、同様にしてフレーム画像６−４０を代表画像として登録した直後の表示部１８における登録モードの詳細表示の状態をＢ−３に示している。
【００５２】
上述した図３は、閲覧モードの１コマ表示において代表画像を登録するときの様子を示していた。これに対して、図４は、閲覧モードの詳細表示においてグループ画像を構成する構成画像の中から代表画像を新たに追加するときの処理の流れを示す図である。
【００５３】
図３と同様の１コマ表示の状態Ａ−１から、上下ボタン１９ｂを操作することにより、Ａ−２、Ａ−３と表示状態が移行したものとする。このＡ−３の表示状態において、ズームボタン１９ｅをワイド（Ｗ）側に操作したとすると、Ｂ−１１に示すような閲覧モードの詳細表示（閲覧モード時にグループ画像に属する複数の画像を同時に閲覧し得る表示）に移行するようになっている。また、Ｂ−１１の詳細表示において、ズームボタン１９ｅをテレ（Ｔ）側に操作したとすると、表示状態Ａ３に復帰するようになっている。
【００５４】
そして、このＢ−１１に示すような詳細表示においては、表示部１８に例えば３×３の画像を表示することが可能となっており、中央の画像位置にズームボタン１９ｅが操作される直前に１コマ表示されていた構成画像であるフレーム画像６−３が表示される。さらにこのフレーム画像６−３の上には１つ前の画像番号の構成画像であるフレーム画像６−２が、下には１つ後の画像番号の構成画像であるフレーム画像６−４が、それぞれ表示される。そして、代表画像であるフレーム画像６−１と、構成画像であるフレーム画像６−５とは、表示部１８による表示の範囲外となるために、表示部１８には表示されない（この様子を、図４においても点線で示している）。なお、ここではズームボタン１９ｅをワイド（Ｗ）側に操作することにより１コマ表示から３×３の画像を表示可能な詳細表示に移行したが、ズームボタン１９ｅをさらにワイド（Ｗ）側に操作し続けることにより、５×５の画像を表示可能な詳細表示、７×７の画像を表示可能な詳細表示、等に順次移行することができるようにしても構わない。このときには、ズームボタン１９ｅをテレ（Ｔ）側に操作することにより、元の状態へ順次復帰していくことになる。
【００５５】
また、このＢ−１１に示すような詳細表示において、上下ボタン１９ｂ等を操作することにより、表示部１８の中央に位置する画像を移行することができるのは、１コマ表示のときと同様である。これについては、後で図８を参照して説明する。
【００５６】
Ｂ−１１に示す表示状態において、登録ボタン１９ｄが操作されたものとする。すると、Ｂ−１１の表示状態において中央に表示されていたフレーム画像６−３が代表画像管理部１１ｂにより新たに代表画像として登録されると共に、図３に示した表示状態Ｂ−１と同様の登録モードの詳細表示の状態Ｂ−１２に移行する。そして、Ｂ−１２の表示状態が上述と同様に例えば１秒間行われた後に、表示状態Ａ−３に自動的に復帰するようになっている。
【００５７】
こうして、グループ画像に属する複数の画像を同時に閲覧可能な状態においても代表画像を登録することができるようにしたために、他の画像と見比べながら、代表画像にふさわしい画像をより容易に選択して登録することが可能となる。
【００５８】
次に、図５は、画像記憶部１５に記憶されている、図３に示したような代表画像の登録を行った結果の画像の順番を模式的に示す図である。
【００５９】
図３に示したような操作を行った結果、画像番号６の動画像には、画像番号６−１，６−３，６−２０，６−４０の４つのフレーム画像が代表画像として登録されている。従って、閲覧モードの１コマ表示を行うときには、左右ボタン１９ａを操作することにより表示部１８に表示される代表画像に、画像番号６−３，６−２０，６−４０の３つのフレーム画像が追加されている。
【００６０】
そして、フレーム画像６−１を１コマ表示したときに上下ボタン１９ｂを操作することにより表示し得る構成画像は該フレーム画像６−１と同一のサブグループに属するフレーム画像６−２、フレーム画像６−３を１コマ表示したときに上下ボタン１９ｂを操作することにより表示し得る構成画像は該フレーム画像６−３と同一のサブグループに属するフレーム画像６−４〜６−１９、フレーム画像６−２０を１コマ表示したときに上下ボタン１９ｂを操作することにより表示し得る構成画像は該フレーム画像６−２０と同一のサブグループに属するフレーム画像６−２１〜６−３９、フレーム画像６−４０を１コマ表示したときに上下ボタン１９ｂを操作することにより表示し得る構成画像は該フレーム画像６−４０と同一のサブグループに属するフレーム画像６−４１〜、となっている。
【００６１】
次に、図６は、図３の操作を行う前に閲覧モードのサムネイル表示を行ったときに表示される画像の様子を示す図、図７は、図３の操作を行った後に閲覧モードのサムネイル表示を行ったときに表示される画像の様子を示す図である。なお、図６および図７は、例えば４×４のサムネイル表示を行う例となっている。
【００６２】
閲覧モードのサムネイル表示においても、１コマ表示のときと同様に、基本的には代表画像のみが表示されるようになっている。従って、図３の操作を行う前、すなわち、代表画像の追加登録を行う前は、図６に示すように、静止画像１〜５、動画像６の代表画像であるフレーム画像６−１、静止画像７〜９、等が表示部１８の画面１８ａにサムネイル表示される。
【００６３】
一方、図３の操作を行った後には、図７に示すように、静止画像１〜５、動画像６の代表画像であるフレーム画像６−１，６−３，６−２０，６−４０、静止画像７〜９、等が表示部１８の画面１８ａにサムネイル表示される。
【００６４】
次に、図８は、閲覧モードの１コマ表示から閲覧モードの詳細表示に移行した後に表示画像のスクロールを行う例を示す図である。なお、この図８においては、図３の操作が行われた後に、閲覧モードの詳細表示を行う場合を示している。
【００６５】
代表画像であるフレーム画像６−３を画面１８ａに１コマ表示しているときに（８Ａ）、ズームボタン１９ｅをワイド（Ｗ）側に操作したとすると、８Ｂに示すような閲覧モードの詳細表示が行われる。このときにも、上述したように、表示部１８による表示の範囲外の画像は表示されず、この様子が点線により示されている。
【００６６】
そして、８Ｂに示すような詳細表示の状態において、例えば左右ボタン１９ａを右（Ｒ）側へ１回操作すると共に、上下ボタン１９ｂを下（Ｄ）側へ２回操作したものとする。すると、８Ｃに示すような状態の詳細表示に移行する。すなわち、８Ｂの表示状態において中央に表示されていたフレーム画像６−３は、左側へ１画像分、上側へ２画像分だけ移動して、表示部１８による表示の範囲外となる。そして、構成画像であるフレーム画像６−２２が中央に表示され、左上にはフレーム画像６−４が、上にはフレーム画像６−２１が、右上にはフレーム画像６−４１が、左にはフレーム画像６−５が、右にはフレーム画像６−４２が、左下にはフレーム画像６−６が、下にはフレーム画像６−２３が、右下にはフレーム画像６−４３が、それぞれ表示されている。
【００６７】
このように、閲覧モードの詳細表示においても、画像のスクロールを所望に行うことができるようになっている。これにより、代表画像の選定や登録を、より容易に行うことが可能となっている。
【００６８】
次に、図９は、画像再生装置１の処理の流れを示すフローチャートである。
【００６９】
画像再生装置１の処理が開始されると、まず、代表画像の１コマ表示を行う（ステップＳ１１）。
【００７０】
次に、左右ボタン１９ａが操作されたか否かを判定し（ステップＳ１２）、操作された場合には左側への操作回数と右側への操作回数とに応じた分だけ画像番号を移動させた代表画像を表示部１８に１コマ表示する（ステップＳ１３）。
【００７１】
このステップＳ１３の処理が終了するか、またはステップＳ１２において左右ボタン１９ａが操作されていないと判定された場合には、次に、上下ボタン１９ｂが操作されたか否かを判定する（ステップＳ１４）。ここで、上下ボタン１９ｂが操作されたと判定された場合には、さらに、１コマ表示されている画像が動画像に係る画像、または連写画像に係る画像に該当するか否かを判定する（ステップＳ１５）。
【００７２】
そして、１コマ表示されている画像が、動画像に係る画像または連写画像に係る画像に該当すると判定された場合には、上下ボタン１９ｂの上側への操作回数と下側への操作回数とに応じた分だけ動画像内または連写画像内の画像番号を移動させた構成画像または代表画像を表示部１８に１コマ表示する（ステップＳ１６）。
【００７３】
このステップＳ１６の処理が終了するか、ステップＳ１４において上下ボタン１９ｂが操作されていないと判定されるか、またはステップＳ１５において１コマ表示されている画像が動画像に係る画像と連写画像に係る画像との何れにも該当しないと判定された場合には、連続再生ボタン１９ｃが操作されたか否かを判定する（ステップＳ１７）。
【００７４】
ここで、連続再生ボタン１９ｃが操作されたと判定された場合には、さらに、１コマ表示されている画像が動画像に係る画像、または連写画像に係る画像に該当するか否かを判定する（ステップＳ１８）。
【００７５】
そして、１コマ表示されている画像が、動画像に係る画像または連写画像に係る画像に該当すると判定された場合には、該動画像や連写画像等のグループ画像の連続再生を行う（ステップＳ１９）。
【００７６】
このステップＳ１９の処理が終了するか、ステップＳ１７において連続再生ボタン１９ｃが操作されていないと判定されるか、またはステップＳ１８において１コマ表示されている画像が動画像に係る画像と連写画像に係る画像との何れにも該当しないと判定された場合には、登録ボタン１９ｄが操作されたか否かを判定する（ステップＳ２０）。
【００７７】
ここで、登録ボタン１９ｄが操作されたと判定された場合には、さらに、１コマ表示されている画像が動画像に係る画像、または連写画像に係る画像に該当するか否かを判定する（ステップＳ２１）。
【００７８】
そして、１コマ表示されている画像が、動画像に係る画像または連写画像に係る画像に該当すると判定された場合には、後述するような第１詳細表示（登録モードの詳細表示）の処理を行う（ステップＳ２２）。
【００７９】
このステップＳ２２の処理が終了するか、ステップＳ２０において登録ボタン１９ｄが操作されていないと判定されるか、またはステップＳ２１において１コマ表示されている画像が動画像に係る画像と連写画像に係る画像との何れにも該当しないと判定された場合には、ズームボタン１９ｅがワイド（Ｗ）側に操作されたか否かを判定する（ステップＳ２３）。
【００８０】
ここで、ズームボタン１９ｅがワイド（Ｗ）側に操作されたと判定された場合には、後述するような第２詳細表示（閲覧モードの詳細表示）の処理を行う（ステップＳ２４）。
【００８１】
このステップＳ２４の処理が終了するか、またはステップＳ２３においてズームボタン１９ｅのワイド（Ｗ）側への操作がなされていないと判定された場合には、この一連の処理を終了する操作入力がなされたか否かを判定する（ステップＳ２５）。
【００８２】
ここで、まだ終了操作がなされていない場合には、ステップＳ１２へ戻って上述したような処理を繰り返して行い、一方、終了操作がなされた場合には、この処理から図示しないメインルーチン等へリターンする。
【００８３】
次に、図１０は、図９のステップＳ２２における第１詳細表示を示すフローチャートである。
【００８４】
この処理を開始すると、例えば、図３のＢ−１、Ｂ−２、またはＢ−３に示すような登録モードの詳細表示を行う（ステップＳ３１）。
【００８５】
そして、登録ボタン１９ｄが操作された時点で１コマ表示されていた画像（登録モードの詳細表示において中央に表示されている画像）を代表画像として登録する（ステップＳ３２）。この代表画像の登録は、代表画像管理部１１ｂが、表示されている画像に対応する画像記憶部１５中の画像データのヘッダ等に、該画像が代表画像である旨の情報を記載することにより行われる。
【００８６】
そして、ステップＳ３１の詳細表示を開始してから所定時間（上述したように、例えば１秒）が経過したか否かを判定し（ステップＳ３３）、１秒が経過したと判定された場合には、図３のＡ−３、Ａ−４等に示すような１コマ表示を行って（ステップＳ３４）、その後に図９に示した処理へリターンする。
【００８７】
続いて、図１１は、図９のステップＳ２４における第２詳細表示を示すフローチャートである。
【００８８】
この処理を開始すると、例えば、図４のＢ−１１に示すような閲覧モードの詳細表示を行う（ステップＳ４１）。
【００８９】
そして、登録ボタン１９ｄが操作されたか否かを判定する（ステップＳ４２）。ここで、登録ボタン１９ｄが操作されたと判定された場合には、例えば、図４のＢ−１２に示すような登録モードの詳細表示を行う（ステップＳ４３）。
【００９０】
そして、登録ボタン１９ｄが操作された時点で閲覧モードの詳細表示において中央に表示されていた画像を代表画像として登録し（ステップＳ４４）、所定時間（例えば１秒）が経過するのを待機する（ステップＳ４５）。
【００９１】
一方、上述したステップＳ４２において、登録ボタン１９ｄが操作されていないと判定された場合には、左右ボタン１９ａと上下ボタン１９ｂとの少なくとも一方が操作されたか否かを判定する（ステップＳ４６）。
【００９２】
ここで、操作されたと判定した場合には、左右ボタン１９ａと上下ボタン１９ｂとの操作状態に応じて、閲覧モードの詳細表示がなされている画像を図８に示したように左右上下にスクロールする（ステップＳ４７）。
【００９３】
このステップＳ４７の処理が終了するか、またはステップＳ４６において左右ボタン１９ａと上下ボタン１９ｂとの何れもが操作されていないと判定された場合には、ズームボタン１９ｅのテレ操作がなされたか否かを判定する（ステップＳ４８）。ここで、ズームボタン１９ｅのテレ操作がなされていないと判定された場合には、ステップＳ４２へ戻って上述したような処理を繰り返して行う。
【００９４】
また、ステップＳ４８においてズームボタン１９ｅのテレ操作がなされたと判定された場合、またはステップＳ４５において所定時間が経過したと判定された場合には、例えば図４のＡ−３に示したような１コマ表示を行って（ステップＳ４９）、その後に図９に示した処理にリターンする。
【００９５】
次に、図１２は、図１に示したような画像再生装置１を撮像装置９に適用したときの構成例を示す図である。この撮像装置９の具体的な製品例としては、動画撮影機能付きのデジタルカメラや、静止画撮影機能付きのデジタルビデオカメラなどが挙げられる。
【００９６】
この撮像装置９は、上述した画像再生装置１と、レンズ部２と、撮像部３と、画像処理部４と、記録部５と、を有して構成されている。
【００９７】
レンズ部２は、被写体の光学像を結像するためのものであり、例えばズーム光学系として構成されたものとなっている。
【００９８】
撮像部３は、レンズ部２により結像された光学像を画像データに変換して出力するものである。
【００９９】
画像処理部４は、撮像部３から出力された画像データに各種の画像処理を施した後に、圧縮等を行って記録部５に記録し、あるいは記録部５から読み出した圧縮された画像データを伸張処理等するものである。
【０１００】
記録部５は、撮像された画像を記憶するためのものであり、例えば図１の画像再生装置１における画像記憶部１５を兼用したものとなっている。
【０１０１】
そして、撮像装置９に適用された画像再生装置１の操作部１９は、撮像装置９における操作入力を行うためのものとして兼用されている。例えば、登録ボタン１９ｄは、撮像装置９における撮影操作を行うためのレリーズボタンを兼ねたものとなっている。ここに、撮像装置９においては、レリーズボタンを兼ねた登録ボタン１９ｄは、２段式の押圧ボタン（２段式の操作部材）として構成されていて、撮影モードにおいては、１段目が１ｓｔレリーズスイッチ、２段目が２ｎｄレリーズスイッチとして機能するようになっている。また、ズームボタン１９ｅは、同じく撮影モードにおいて、レンズ部２のズーム操作を行うためのボタンを兼ねたものとなっている。さらに、左右ボタン１９ａと上下ボタン１９ｂとは、撮像装置９において各種の撮影モードやメニュー等を操作するためのボタンを兼ねたものとなっている。加えて、連続再生ボタン１９ｃは、撮像装置９においてスライドショー等を表示するためのボタンを兼ねたものとなっている。
【０１０２】
図１３は、図１２に示したような撮像装置９における動画像の代表画像の登録操作を示すフローチャートである。
【０１０３】
撮像装置９において、記録部５（あるいは画像記憶部１５）に記録されている動画像の再生が操作されると、この処理を開始して、まず動画表示を行う（ステップＳ５１）。
【０１０４】
次に、動画表示を終了する操作入力が行われたか否かを判定して（ステップＳ５２）、まだ行われていない場合には、レリーズボタンを兼ねた登録ボタン１９ｄの１段目の操作が行われたか否かを判定する（ステップＳ５３）。ここで、１段目の操作が行われていないと判定された場合には、ステップＳ５１へ戻って動画表示を継続して行う。
【０１０５】
また、登録ボタン１９ｄの１段目の操作が行われたと判定された場合には、再生中の動画像をスローモーション再生する（ステップＳ５４）。このスローモーション再生を行うのは、画像確認を容易にするためである。
【０１０６】
そして、レリーズボタンを兼ねた登録ボタン１９ｄの１段目の操作が解除されたか否かを判定する（ステップＳ５５）。ここで、１段目の操作が解除されたと判定された場合には、ステップＳ５１へ戻って、再び通常の再生速度で動画表示を行う。
【０１０７】
一方、１段目の操作が解除されていないと判定された場合には、次に、登録ボタン１９ｄの２段目の操作が行われたか否かを判定する（ステップＳ５６）。ここで、２段目の操作が行われていないと判定された場合には、ステップＳ５４へ戻ってスローモーション再生の処理を継続して行う。
【０１０８】
また、登録ボタン１９ｄの２段目の操作が行われたと判定された場合には、この２段目の操作が行われた時点でスローモーション再生により表示されているフレーム画像を代表画像として登録し（ステップＳ５７）、該フレーム画像を静止表示して「代表画像として登録されました」等の情報を重畳表示する登録表示を行う（ステップＳ５８）。
【０１０９】
そして、所定時間、例えば１秒が経過するのを待って（ステップＳ５９）、１秒が経過したところでステップＳ５１へ戻り、再び通常の再生速度で動画表示を行う。
【０１１０】
こうして、ステップＳ５２において、動画の再生が終了したと判定された場合には、この処理を終了する。
【０１１１】
このような処理を行うことにより、撮像装置９において２段式の押圧ボタンとして構成されているレリーズボタンを有効に利用して、高い操作性により、動画再生を行っている最中に、代表画像の登録を行うことが可能となる。
【０１１２】
なお、上述では特に述べてはいないが、一旦代表画像として登録された画像を選択して例えば登録ボタン１９ｄを操作することにより、ユーザによる確認を行った後に、代表画像ではない通常の構成画像の状態に戻すことができるようにしてももちろん構わない。このように代表画像に関する操作は、追加だけでなく、取り消しなども行うことが可能である。
【０１１３】
このような実施形態１によれば、グループ画像の中から例えば先頭画像が代表画像として自動的に登録されるが、さらにこれに加えてユーザが任意の構成画像を選択して代表画像として登録することが可能であるために、所望の画像を代表画像とすることができる。
【０１１４】
このとき、構成画像を１コマ表示させた状態で選択することができるために、該構成画像が代表画像としてふさわしいか否かを詳細に観察しながら選択を行うことが可能となる。
【０１１５】
また、構成画像を、複数の画像を配列した詳細表示の状態で選択することができるために、他の構成画像と比較しながら代表画像としてふさわしいか否かを判断することが可能となる。
【０１１６】
そして、代表画像の登録が行われた後に、今登録された代表画像を中央位置にしながら複数の画像を配列した詳細表示が行われるために、他の代表画像や構成画像を見ながら登録の確認を行うことができる。加えて、この登録モードの詳細表示からは所定時間が経過したところで自動的に１コマ表示に復帰するようにしたために、面倒な操作を行う必要がなくなり、操作性が高くなる。
【０１１７】
一方、画像再生装置を撮像装置に適用した場合において、動画再生中に２段式スイッチで構成されるレリーズボタンを操作することにより、スローモーション再生に切り換わった後に代表画像を選択することができるために、高い操作性で選択を行うことが可能となる。
【０１１８】
なお、以上の実施形態において、図９〜図１１、図１３のフローチャートは、ソフトウェア処理を行うＣＰＵ１１とハードウェア処理を行う読出部１４、表示画像作成部１６、表示処理部１７、表示部１８等との組み合わせにより実行される旨を説明した。しかし、ソフトウェア処理とハードウェア処理とをどのように組み合わせるかは、これに限られるものではなく、任意の設計事項とすることができる。そして、ＣＰＵ１１によるソフトウェア処理は、ＲＯＭ１２に格納されているソフトウェアプログラムがＣＰＵ１１により読み出され、読み出されたソフトウェアプログラムに従ってＣＰＵ１１自体が上記動作を行い、あるいはＣＰＵ１１が他の構成要素に上記動作を行わせることによって、実現されるものである。従って、上述したソフトウェアプログラム自体がＣＰＵ１１の機能を実現することになるために、このプログラムは本発明を構成する。また、このプログラムを格納している記録媒体も本発明を構成する。ここに、記録媒体としては、フラッシュメモリやＩＣカード等の半導体メモリ、ハードディスクや磁気テープ等の磁気記録媒体、ＣＤ−ＲＯＭやＤＶＤ等の光学記録媒体、ＭＤ等の光磁気記録媒体、などの何れをも用いることが可能である。加えて、上述したような処理を行う方法も、本発明を構成する。
【０１１９】
また、上述した各実施形態においては、本発明を画像再生装置に適用した例を説明したが、これに限らず、例えば上述したようなデジタルカメラ等の撮像装置に内蔵される画像再生部や、携帯電話のカメラ部に内蔵される画像再生部、あるいはその他の機器に内蔵される画像再生部に適用しても良い。
【０１２０】
そして、本発明は上述した実施形態そのままに限定されるものではなく、実施段階ではその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素から幾つかの構成要素を削除しても良い。さらに、異なる実施形態にわたる構成要素を適宜組み合わせても良い。このように、発明の主旨を逸脱しない範囲内において種々の変形や応用が可能であることは勿論である。
【産業上の利用可能性】
【０１２１】
本発明は、一連の撮影によって得られたグループ画像を表示するための画像再生装置、撮像装置、画像表示プログラム、記録媒体、画像表示方法に好適に利用することができる。
【図面の簡単な説明】
【０１２２】
【図１】本発明の実施形態１における画像再生装置の構成を示すブロック図。
【図２】上記実施形態１の画像記憶部に記憶されている画像の順番を模式的に示す図。
【図３】上記実施形態１において、閲覧モードの１コマ表示においてグループ画像を構成する構成画像の中から代表画像を新たに追加するときの処理の流れを示す図。
【図４】上記実施形態１において、閲覧モードの詳細表示においてグループ画像を構成する構成画像の中から代表画像を新たに追加するときの処理の流れを示す図。
【図５】上記実施形態１の画像記憶部に記憶されている、図３に示したような代表画像の登録を行った結果の画像の順番を模式的に示す図。
【図６】上記実施形態１において、図３の操作を行う前に閲覧モードのサムネイル表示を行ったときに表示される画像の様子を示す図。
【図７】上記実施形態１において、図３の操作を行った後に閲覧モードのサムネイル表示を行ったときに表示される画像の様子を示す図。
【図８】上記実施形態１において、閲覧モードの１コマ表示から閲覧モードの詳細表示に移行した後に表示画像のスクロールを行う例を示す図。
【図９】上記実施形態１における画像再生装置の処理の流れを示すフローチャート。
【図１０】上記実施形態１において、図９のステップＳ２２における第１詳細表示を示すフローチャート。
【図１１】上記実施形態１において、図９のステップＳ２４における第２詳細表示を示すフローチャート。
【図１２】上記実施形態１において、図１に示したような画像再生装置を撮像装置に適用したときの構成例を示す図。
【図１３】上記実施形態１において、図１２に示したような撮像装置における動画像の代表画像の登録操作を示すフローチャート。
【符号の説明】
【０１２３】
１…画像再生装置
２…レンズ部
３…撮像部
４…画像処理部
５…記録部
９…撮像装置
１１…ＣＰＵ
１１ａ…再生制御部
１１ｂ…代表画像管理部
１２…ＲＯＭ
１３…ＲＡＭ
１４…読出部
１５…画像記憶部
１６…表示画像作成部
１７…表示処理部
１８…表示部
１８ａ…画面
１９…操作部
１９ａ…左右ボタン
１９ｂ…上下ボタン
１９ｃ…連続再生ボタン
１９ｄ…登録ボタン
１９ｅ…ズームボタン
【図１】
2008245106.tif 000003
【図２】
2008245106.tif 000004
【図３】
2008245106.tif 000005
【図４】
2008245106.tif 000006
【図５】
2008245106.tif 000007
【図６】
2008245106.tif 000008
【図７】
2008245106.tif 000009
【図８】
2008245106.tif 000010
【図９】
2008245106.tif 000011
【図１０】
2008245106.tif 000012
【図１１】
2008245106.tif 000013
【図１２】
2008245106.tif 000014
【図１３】
2008245106.tif 000015